(57)【要約】【課題】  ポップを天井から吊り下げる場合においても、ポップの交換が容易であり、また、外観上も好適なポップ支持具を提供する。【解決手段】  ポップ支持具は、ポップを装着した金属製部材を磁力により保持するためのものであり、樹脂製の本体１と、この本体内に収納された磁石２と、本体１を天井または壁面に固定するための固定部材としての３本の針釘３とから構成される。本体１の収納部１３およびフランジ部１４には、磁石２を収納するための穴部が形成されている。本体１には、ナット部１２からベース部１１にわたる貫通孔１５が形成されており、本体１を天井または壁面に固定するときに、針釘３がこの貫通孔１５を貫通する。【選択図】        図１
0003211681.tif 000002
【実用新案登録請求の範囲】
【請求項１】
樹脂製の本体と、
前記本体内に収納された磁石と、
前記本体を天井または壁面に固定するための固定部材と、
を備え、
ポップを装着した金属製部材を磁力により保持することを特徴とするポップ支持具。
【請求項２】
請求項１に記載のポップ支持具において、
前記本体には、外形が多角形状のナット部が形成されるポップ支持具。
【請求項３】
請求項１または請求項２に記載のポップ支持具において、
前記固定部材は、前記本体に形成された複数の孔部を各々貫通する針釘であるポップ支持具。
【請求項４】
請求項１または請求項２に記載のポップ支持具において、
前記固定部材は、前記本体に立設されたネジであるポップ支持具。
【請求項５】
請求項１または請求項２に記載のポップ支持具において、
前記固定部材は、前記本体に立設されたピンであるポップ支持具。
【考案の詳細な説明】
【技術分野】
【０００１】
この考案は、ポップ（ＰＯＰ）を支持するポップ支持具に関する。
【背景技術】
【０００２】
ポップ広告（ｐｏｉｎｔ−ｏｆ−ｐｕｒｃｈａｓｅ  ａｄｖｅｒｔｉｓｉｎｇ）に使用されるポップは、シート上に商品名と価格、または、キャッチコピーや説明文、あるいは、イラスト等を表示したものであり、店舗の広告媒体として広く使用されている。このようなポップは、接着テープや画鋲などにより壁面等に貼着されるほかに、カードホルダー等と呼称される支持具により支持される。ポップの取り替えを用意とするために磁石を利用した支持具も提案されている（特許文献１参照）。
【０００３】
また、このようなポップを天井から吊り下げるときには、フック等が利用される（特許文献２参照）。
【先行技術文献】
【特許文献】
【０００４】
【特許文献１】特開２０１２−２２３２９０号公報
【特許文献２】特開平９−４４０９３号公報
【考案の概要】
【考案が解決しようとする課題】
【０００５】
特許文献２に記載されたようにフック等を利用してポップを天井から吊り下げる構成を採用した場合には、ポップを変更する場合等において手間がかかるという問題があるばかりではなく、外観上も好適なものとはいえない。
【０００６】
この考案は上記課題を解決するためになされたものであり、ポップを天井から吊り下げる場合においても、ポップの交換が容易であり、また、外観上も好適なポップ支持具を提供することを目的とする。
【課題を解決するための手段】
【０００７】
請求項１に記載の考案は、樹脂製の本体と、前記本体内に収納された磁石と、前記本体を天井または壁面に固定するための固定部材と、を備え、ポップを装着した金属製部材を磁力により保持することを特徴とする。
【０００８】
請求項２に記載の考案は、請求項１に記載の考案において、前記本体には、外形が多角形状のナット部が形成される。
【０００９】
請求項３に記載の考案は、請求項１または請求項２に記載の考案において、前記固定部材は、前記本体に形成された複数の孔部を各々貫通する針釘である。
【００１０】
請求項４に記載の考案は、請求項１または請求項２に記載の考案において、前記固定部材は、前記本体に立設されたネジである。
【００１１】
請求項５に記載の考案は、請求項１または請求項２に記載の考案において、前記固定部材は、前記本体に立設されたピンである。
【考案の効果】
【００１２】
請求項１から請求項５に記載の考案によれば、磁石を収納した本体を固定部材により天井または壁面に固定することにより、導電性を有さない天井または壁面において磁力の作用を得ることができる。このため、ポップを装着した金属製部材を天井または壁面に対して、着脱可能な状態で容易に支持することが可能となる。
【００１３】
請求項２に記載の考案によれば、本体を容易に回転させることができることから、固定部材としてネジを使用したときの固定動作を容易に実行することが可能となる。
【００１４】
請求項３に記載の考案によれば、モルタルや石膏ボード等からなる天井や壁面に対しても本体を容易に固定することができ、また、好適な耐荷重を得ることが可能となる。
【図面の簡単な説明】
【００１５】
【図１】この考案の第１実施形態に係るポップ支持具を示す図である。
【図２】この考案の第２実施形態に係るポップ支持具を示す図である。
【図３】この考案の第３実施形態に係るポップ支持具を示す図である。
【図４】この考案に係るポップ支持具を天井に固定してポップＰを支持する状態を示す模式図である。
【図５】この考案に係るポップ支持具を天井に固定してポップＰを支持する状態を示す模式図である。
【図６】ポップ支持補助具６を示す斜視図である。
【図７】ポップ支持補助具７を示す斜視図である。
【考案を実施するための形態】
【００１６】
以下、この考案の実施の形態を図面に基づいて説明する。図１は、この考案の第１実施形態に係るポップ支持具を示す図である。
【００１７】
このポップ支持具は、ポップを装着した金属製部材を磁力により保持するためのものであり、樹脂製の本体１と、この本体１内に収納された磁石２と、本体１を天井または壁面に固定するための固定部材としての３本の針釘３とから構成される。
【００１８】
樹脂製の本体１は、射出成型等により制作される。この本体１は、ベース部１１と、ナット部１２と、収納部１３と、フランジ部１４とから構成される。収納部１３およびフランジ部１４には、磁石２を収納するための穴部が形成されており、磁石２は、この穴部内に収納され、本体１に接着される。本体１には、ナット部１２からベース部１１にわたる貫通孔１５が形成されている。この貫通孔１５は、本体１を天井または壁面に固定するときに、ピン釘とも呼称される３本の針釘３を互いに交差する方向に向けて貫通させるためのものである。
【００１９】
このポップ支持具を天井または壁面に装着するときには、互いに交差する方向を向く３本の針釘３を使用することにより、本体１をモルタルや石膏ボード等からなる天井や壁面に対しても強固に固定することができる。このため、耐荷重を大きなものとすることも可能となる。
【００２０】
図２は、この考案の第２実施形態に係るポップ支持具を示す図である。なお、図１に示す第１実施形態と同一の部材については、同一の符号を付して詳細な説明を省略する。
【００２１】
この第２実施形態に係るポップ支持具においては、本体１の凹部に磁石２を収納する前に、凹部内に本体１を天井または壁面に固定するための固定部材としてのネジ４を配設している。このネジ４は、本体１を射出成型するときに、予め、本体１とともに成型してもよい。
【００２２】
この第２実施形態に係るポップ支持具を、例えば木製の部材等よりなる天井または壁面に装着するときには、本体１におけるナット部１２を利用して、スパナ等によりポップ支持具を、ネジ４を中心として回転させることにより、本体１を木製等よりなる天井または壁面に対して強固に固定することができる。このため、耐荷重を大きなものとすることができる。
【００２３】
なお、この第２実施形態における本体１は、第１実施形態と同一のものであり、同一の金型を使用した射出成型等により制作される。このため、制作コストを低減することが可能となる。ただし、この第２実施形態においては使用されない貫通孔１５が形成されることになる。
【００２４】
図３は、この考案の第３実施形態に係るポップ支持具を示す図である。なお、図１、図２に示す第１、第２実施形態と同一の部材については、同一の符号を付して詳細な説明を省略する。
【００２５】
この第３実施形態に係るポップ支持具においては、本体１の凹部に磁石２を収納する前に、凹部内に本体１を天井または壁面に固定するための固定部材としてのピン５を配設している。このピン５は、本体１を射出成型するときに、予め、本体１とともに成型してもよい。
【００２６】
この第３実施形態に係るポップ支持具を、天井または壁面に装着するときには、押しピン等と同様に、本体１を天井または壁面に押しつけることにより、天井または壁面に対して容易に固定することができる。このため、ポップが軽量で、耐荷重が小さくてもよい場合に好適である。
【００２７】
なお、この第３実施形態における本体１も、第１、第２実施形態と同一のものであり、同一の金型を使用した射出成型等により制作される。このため、制作コストを低減することが可能となる。ただし、この第３実施形態においては使用されない貫通孔１５が形成されることになる。
【００２８】
図４および図５は、この考案に係るポップ支持具を天井に固定してポップＰを支持する状態を示す模式図である。
【００２９】
ここで、ポップＰとは、シートに対して、商品名、価格、キャッチコピーや説明文、イラスト等を表示したものである。図３においては、ガチャ玉（オート株式会社の登録商標）等の金属製のペーパクリップ８によりポップＰを支持し、このペーパクリップ８を、磁石２の作用によりこの考案に係るポップ支持具に装着した状態を示している。また、図４においては、スライドクリップ等と呼称される金属製のペーパクリップ９によりポップＰを支持し、このペーパクリップ９を、磁石２の作用によりこの考案に係るポップ支持具に装着した状態を示している。
【００３０】
この考案に係るポップ支持具を使用した場合には、ポップを装着した金属製部材であるペーパクリップ８、９を使用することにより、天井等に対してポップＰを容易に装着することができ、また、その取り替えも容易となる。
【００３１】
図６は、この考案に係るポップ支持具のオプション品としてのポップ支持補助具６を示す斜視図である。
【００３２】
このポップ支持補助具６は、金属プレート２１に対してフック２２を付設した構成を有する。このポップ支持補助具６によれば、例えば、カレンダー等の係止部を有するポップを、フック２２により係止し、これを金属プレート２１の作用によりこの考案に係るポップ支持部に装着することが可能となる。
【００３３】
図７は、この考案に係るポップ支持具のオプション品としての他のポップ支持補助具７を示す斜視図である。
【００３４】
このポップ支持補助具７は、金属プレート２１に対して樹脂製のクリップ２３を付設した構成を有する。このポップ支持補助具７によれば、クリップ２３により挟持したポップを、金属プレート２１の作用によりこの考案に係るポップ支持部に装着することが可能となる。
【符号の説明】
【００３５】
１      本体
２      磁石
３      針釘
４      ネジ
５      ピン
６      ポップ支持補助具
７      ポップ支持補助具
８      ペーパクリップ
９      ペーパクリップ
１１    ベース部
１２    ナット部
１３    収納部
１４    フランジ部
１５    貫通孔
２１    金属プレート
２２    フック
２３    クリップ
Ｐ      ポップ
【図１】
0003211681.tif 000003
【図２】
0003211681.tif 000004
【図３】
0003211681.tif 000005
【図４】
0003211681.tif 000006
【図５】
0003211681.tif 000007
【図６】
0003211681.tif 000008
【図７】
0003211681.tif 000009